(57)【要約】  【目的】ＲＤＳ放送の番組サービス名が正しく表示され、プリセットメモリに記憶されるようにしたラジオ受信機を提供する。  【構成】ラジオ受信機１０は、ＲＤＳ放送とＤＡＢ放送の双方の受信機能を有し、ＲＤＳ放送受信時に当該受信サービスのＰＩと同一ＳＩｄを有するＤＡＢ放送における番組サービス名を検索し、検索された番組サービス名を表示装置３にＲＤＳ放送の番組サービス名として表示する代替表示手段を備え、番組サービス名記憶手段は、入力装置２によるユーザのプリセットメモリ操作によるＲＤＳ放送受信時の当該受信サービスの番組サービス名のメモリ装置４への記憶時に、当該受信サービスのＰＩと同一ＳＩｄを有するＤＡＢ放送における番組サービス名を検索し、検索された番組サービス名をＲＤＳ放送の当該受信サービスの番組サービス名としてメモリ装置４に記憶する代替記憶手段を備える構成である。【選択図】  図１
2007074085.tif 000002
【特許請求の範囲】
【請求項１】
デジタル多重ＦＭ放送及びデジタル音声放送を受信する受信手段またはデジタル多重ＦＭ放送の受信機能を有しておりデジタル音声放送の受信機能を追加可能な受信手段を有し、各放送の受信サービスの番組サービス名をメモリ装置に記憶する番組サービス名記憶手段と、前記番組サービス名を表示装置の表示画面に表示する番組サービス名表示手段と、を備えるラジオ受信機において、
前記番組サービス名表示手段は、前記デジタル多重ＦＭ放送受信時に、当該受信サービスの番組識別コードと同一のサービス識別コードを有するデジタル音声放送における番組サービス名を、前記デジタル音声放送受信におけるアンサンブルサーチ動作または前記メモリ装置から検索し、検索された前記デジタル音声放送の番組サービス名を、前記表示装置の表示画面に前記デジタル多重ＦＭ放送の当該受信サービスの番組サービス名として表示する代替表示手段を備え、
前記番組サービス名記憶手段は、前記デジタル多重ＦＭ放送受信時における当該受信サービスの番組サービス名の前記メモリ装置への記憶時に、当該受信サービスの番組識別コードと同一のサービス識別コードを有するデジタル音声放送における番組サービス名を、前記デジタル音声放送受信におけるアンサンブルサーチ動作で検索し、検索された前記デジタル音声放送の番組サービス名を、前記デジタル多重ＦＭ放送の当該受信サービスの番組サービス名として前記メモリ装置に記憶する代替記憶手段を備えることを特徴とするラジオ受信機。
【発明の詳細な説明】
【技術分野】
【０００１】
本発明は、デジタル多重ＦＭ放送（略して以下、ＲＤＳ（Ｒadio Ｄata Ｓystem）とも称する。）とデジタル音声放送（略して以下、ＤＡＢ（Ｄigital Ａudio Ｂroadcasting）とも称する。）を受信可能とするラジオ受信機の技術分野に属する。
【背景技術】
【０００２】
デジタル多重ＦＭ放送（ＲＤＳ）の番組サービス名（Ｐrogram  Ｓervice  name；以下、略してＰＳとも称する。）は、ＲＤＳ多重データのＰＳデータにより８文字までの文字列として送られるため、ＲＤＳ放送のラジオ受信機はそれを使用して現に受信している受信サービスの番組サービス名を表示装置に表示させることができる。
【０００３】
また、ＲＤＳ放送の受信時にその受信サービスの番組サービス名を所謂プリセットメモリと称されるメモリ装置にプリセット番号に対応させて割り当て記憶させることにより、プリセットされた各放送の番組サービス名を事前に表示装置で目視確認することができるようになっている。
【０００４】
ところで、下記［特許文献１］には、図６に示されるように、ＤＡＢ放送の情報（ＥＩｄコード、ＳＩｄコード、周波数情報）が速やかにＲＤＳ放送受信機能側に取り込めるようにしたＲＤＳ放送とＤＡＢ放送が受信可能なラジオ放送受信機１００として、受信したＲＤＳ多重データ中に含まれているＤＡＢ放送の前記情報を現在受信中のＲＤＳ放送のＰＩコードと対にしてメモリ１０５に書き込み制御回路１４１の制御の下に書き込み、ＲＤＳ放送の受信周波数を変化させた後、前記メモリ１０５に記憶されているＰＩコードに対応する放送と同一の放送を受信したとき、該ＰＩコードと対で前記メモリ１０５に記憶されているＤＡＢ放送の情報を読み出し制御回路１４２の制御の下に読み出して、ＤＡＢチューナ１０２に受信のための情報として引き渡すようにした構成が提案されている。
【０００５】
ここに、上記ＰＩコードは、ＲＤＳ受信信号から復調したＲＤＳ多重データの全てのＲＤＳデータフレーム（グループタイプ）のデータフォーマットの最初にある番組識別のためのＩＤコード（番組識別コード）である。
【０００６】
また、ＤＡＢ放送では、各放送チャンネルに対応した搬送周波数群をアンサンブルと称し、各アンサンブルには複数の放送番組が多重化されている。そして、上記ＥＩｄ（Ｅnsemble Ｉdentifire）コードはアンサンブルのＩＤコードを表し、上記ＳＩｄ（Ｓervice Ｉdentifire）コードはサービスＩＤコード（サービス識別コード）を表しており、それぞれＤＡＢ受信信号から復調したＦＩＣ（Ｆast
Ｉnformation Ｃhannel）データに含まれる。
【０００７】
【特許文献１】特開２００１−３０８７３２号公報
【発明の開示】
【発明が解決しようとする課題】
【０００８】
本来、ＲＤＳ放送における受信サービスのＰＳデータは各放送毎に固定であり、変化させてはならない規定ではあるが、ドイツなどの普及地域においては、それを広告代わりに使用する放送局が最近増えており、それらのＲＤＳ放送では数秒間隔でＰＳデータを変更して送信している。これは俗にダイナミックＰＳと称されているが、そのようなＲＤＳ放送を受信中にプリセットメモリへの番組サービス名の記憶動作を行うと、図７の表示装置の表示画面（ａ）に示される一覧表示のように本来の正しい番組サービス名「ＦＦＨ」、「ＨＲ４」ではなく、図７の（ｂ）に示されるような広告文中の一つの単語「ｕｎｄ」、「ａｕｆ」などが番組サービス名としてプリセットメモリ（図では６局プリセットの４番と６番）に記憶されてしまう場合がある。したがって、後にプリセットメモリの各番号に割り当てられた番組サービス名を確認する際、番組サービス名とは全く関係のない単語が表示され、ユーザの混乱を招いてしまっている。
【０００９】
また、ＲＤＳ放送受信中に、元々は受信サービスの番組サービス名を表示するようになっている表示装置にダイナミックＰＳの広告文字が次々と入れ替わり表示されてしまう表示状態を煩わしく思い、ダイナミックＰＳ（広告）は表示せずに正しい番組サービス名が常時表示されることを望むユーザも多いと考えられる。
【００１０】
この点、前記［特許文献１］に記載されたＤＡＢ放送受信可能なＲＤＳ放送受信機の情報処理技術においては、ＲＤＳからＤＡＢへの受信切り換えを円滑にするための手法が示されているのみであり、上記のようなＲＤＳ放送におけるＰＳデータ表示をダイナミックＰＳとして利用するＲＤＳ放送局に対する番組サービス名の誤表示の問題を解決することはできず、その解決の示唆も得られない。
【００１１】
本発明は上記事情に鑑みてなされたものであり、ＲＤＳ放送におけるＰＳデータが広告など本来の目的以外に使用されるダイナミックＰＳとなっている場合でも、ＲＤＳ放送及びＤＡＢ放送の双方が受信可能なラジオ受信機側において、受信中の番組サービス名の誤表示やプリセットメモリへの番組サービス名の誤記憶、呼び出し時の誤表示を可及的に是正するようにしたラジオ受信機を提供することを目的とする。
【課題を解決するための手段】
【００１２】
本発明は、デジタル多重ＦＭ放送（ＲＤＳ）及びデジタル音声放送（ＤＡＢ）を受信する受信手段またはデジタル多重ＦＭ放送の受信機能を有しておりデジタル音声放送の受信機能を追加可能な受信手段を有し、各放送の受信サービスの番組サービス名をメモリ装置３に記憶する番組サービス名記憶手段と、前記番組サービス名を表示装置４の表示画面に表示する番組サービス名表示手段と、を備えるラジオ受信機において、前記番組サービス名表示手段は、前記デジタル多重ＦＭ放送受信時に、当該受信サービスの番組識別コード（ＰＩ）と同一のサービス識別コード（ＳＩｄ）を有するデジタル音声放送における番組サービス名を、前記デジタル音声放送受信におけるアンサンブルサーチ動作または前記メモリ装置３から検索し、検索された前記デジタル音声放送の番組サービス名を、前記表示装置４の表示画面に前記デジタル多重ＦＭ放送の当該受信サービスの番組サービス名として表示する代替表示手段を備え、前記番組サービス名記憶手段は、前記デジタル多重ＦＭ放送受信時における当該受信サービスの番組サービス名の前記メモリ装置３への記憶時に、当該受信サービスの番組識別コード（ＰＩ）と同一のサービス識別コード（ＳＩｄ）を有するデジタル音声放送における番組サービス名を、前記デジタル音声放送受信におけるアンサンブルサーチ動作で検索し、検索された前記デジタル音声放送の番組サービス名を、前記デジタル多重ＦＭ放送の当該受信サービスの番組サービス名として前記メモリ装置３に記憶する代替記憶手段を備えることを特徴とするラジオ受信機１０を提供することにより、上記課題を解決する。
【発明の効果】
【００１３】
ＲＤＳ放送とＤＡＢ放送の双方が受信できる本発明に係るラジオ受信機は、ＲＤＳ放送の受信サービスの番組サービス名について、
（１）ＲＤＳ放送受信中の番組サービス名以外のＰＳデータ（ダイナミックＰＳ）を表示装置に表示しないようにでき、且つ、正しい番組サービス名を表示できる。
（２）メモリ装置（プリセットメモリ）にＲＤＳ放送の正しい番組サービス名を記憶することができ、プリセットメモリ呼び出し時のＲＤＳ放送の番組サービス名の誤表示が防止できる。
【発明を実施するための最良の形態】
【００１４】
本発明に係るラジオ受信機の実施の形態について図面に基づいて説明する。
【００１５】
図１は本発明に係るＲＤＳ放送とＤＡＢ放送の双方の受信機能を備えるラジオ受信機のブロック図である。図２は本発明に係るラジオ受信機の番組サービス名表示手段における代替表示手段の第１の処理手順を示すフロー図である。図３は本発明に係るラジオ受信機の番組サービス名表示手段における代替表示手段の第２の処理手順を示すフロー図である。図４は本発明に係るラジオ受信機の番組サービス名記憶手段における代替記憶手段の第１の処理手順を示すフロー図である。図５は本発明に係るラジオ受信機の番組サービス名記憶手段における代替記憶手段の第２の処理手順を示すフロー図である。
【００１６】
先ず、本発明の着眼点と主旨は、ＤＡＢ放送で送信される番組サービス名は不変なものであるため、ＲＤＳ放送のダイナミックＰＳを含むＲＤＳ多重データを受信している場合に、番組サービス名としてＰＳデータをメモリ装置（プリセットメモリ）に記憶させる際、そのＲＤＳ放送と同一のＤＡＢ放送（同一ＩＤ）の番組サービス名（１６文字版／８文字版）の８文字版の表示パターンを代替の番組サービス名として利用し、それを表示装置に表示し、メモリ装置への記憶動作を行えば、ＲＤＳ放送の番組サービス名としてのＰＳデータがダイナミックＰＳの放送であっても正しく表示装置に表示され、ユーザの混乱は解消されるという点に存する。
【００１７】
而して、本発明に係るラジオ受信機は、ＲＤＳ放送及びＤＡＢ放送を受信する受信手段またはＲＤＳ放送の受信機能を有しておりＤＡＢ放送の受信機能を追加可能な受信手段を有し、各放送の受信サービスの番組サービス名をメモリ装置３に記憶する番組サービス名記憶手段と、前記番組サービス名を表示装置４の表示画面に表示する番組サービス名表示手段と、を備えるラジオ受信機を前提とする（尤も、このようなラジオ受信機は既に公知であり、例えば前述の［特許文献１］に記載されているラジオ放送受信機１００がある。）。
【００１８】
本発明の最良の実施の形態として、図１に示される本発明に係るラジオ受信機１０は、従来の一般的なＦＭ／ＡＭ受信機の回路ブロックとして、ＦＭ／ＡＭフロントエンド部、Ａ／Ｄコンバータ、ＦＭ／ＡＭステレオ復調部（１）、ＰＬＬ制御部、制御マイコン（５）、液晶などの表示装置（３）、ボタンキーなどの入力装置（２）、フラッシュＲＯＭなどのメモリ装置（４）、デジタルオーディオセレクタ部、Ｄ／Ａコンバータを備える回路ブロック構成に加えて、前記ＦＭ／ＡＭステレオ復調部（１）の復調信号からデジタルデータのＲＤＳデータ（ＰＩコードを含む）を抽出するＲＤＳデータデコーダ部（６）が加えられた回路構成のＲＤＳ受信部（７）と、ＤＡＢフロントエンド、Ａ／Ｄコンバータ、ＤＡＢベースバンド処理部、ＭＰＥＧオーディオデコーダ部、ＦＩＣデータデコーダ部（８）からなるＤＡＢ受信部（９）の回路ブロックが加えられた回路ブロック構成となっている。なお、前記ＲＤＳ受信部７と前記ＤＡＢ受信部９の受信機能は制御マイコン５の制御の下に別個に機能させることができ、同時に受信することも可能である。
【００１９】
上記ＲＤＳ受信部７とＤＡＢ受信部９の基本的な受信機能の詳細は公知技術なので省略し、以下、前記ＲＤＳデータデコーダ部６から制御マイコン５へ伝送されるＲＤＳの受信サービスのＰＩコード、ＰＳデータと、前記ＤＡＢ受信部９のＦＩＣデータデコーダ部８から制御マイコン５へ伝送されるＤＡＢサービスのＳＩｄデータ、サービスラベルのデータから、制御マイコン５が如何にＲＤＳの受信サービスの番組サービス名を前記表示装置３に表示させるか、また、如何に前記メモリ装置４にＲＤＳの受信サービスの番組サービス名を正しく記憶させるかについて説明する。
【００２０】
本発明に係るラジオ受信機１０の前記番組サービス名表示手段は、特に、ＲＤＳ放送受信時に、当該受信サービスのＰＩと同一ＳＩｄを有するＤＡＢ放送における番組サービス名を検索し、検索されたＤＡＢ放送の番組サービス名を前記表示装置３にＲＤＳの当該受信サービスの番組サービス名として表示する代替表示手段を備え、前記番組サービス名記憶手段は、入力装置２によるユーザのプリセット操作によるＲＤＳ放送受信時の当該受信サービスの番組サービス名のメモリ装置４への記憶時に、当該受信サービスのＰＩと同一ＳＩｄを有するＤＡＢ放送における番組サービス名を検索し、検索されたＤＡＢ放送の番組サービス名をＲＤＳ放送の当該受信サービスの番組サービス名として前記メモリ装置４に記憶する代替記憶手段を備えることを特徴とする。
【００２１】
上記ＲＤＳ放送の受信サービスの正しい番組サービス名の表示装置３への表示とメモリ装置４への記憶を実現する最良の実施の形態として以下の４つの形態が挙げられる。
【００２２】
先ず、前記番組サービス名表示手段は、例えば、図２のフロー図に示されるように、前記ＲＤＳ放送の受信時に、当該受信サービスのＰＩと同一ＳＩｄを有するＤＡＢ放送における番組サービス名が前記メモリ装置４に記憶されているか否かを判定する番組サービス名記憶判定手段Ｓ１と、前記番組サービス名記憶判定手段Ｓ１で記憶有りと判定された場合（Ｙ）は、そのＤＡＢ放送の番組サービス名を前記表示装置３に受信サービスの番組サービス名として表示し、前記番組サービス名記憶判定手段Ｓ１で記憶無しと判定された場合（Ｎ）は、前記ＤＡＢ放送のアンサンブルサーチ動作を行い、受信サービスのＰＩと同一ＳＩｄのＤＡＢ放送のサービスが検出された場合（Ｙ）は、当該ＤＡＢ放送のサービスの番組サービス名をＲＤＳ放送の受信サービスの番組サービス名として前記表示装置３に表示し、当該ＲＤＳ放送の受信サービスのＰＩと同一ＳＩｄのＤＡＢ放送のサービスが検出されなかった場合（Ｎ）は、当該ＲＤＳ放送の受信サービスの番組サービス名のデータが正常なデータか番組サービス名以外のデータ（ダイナミックＰＳ）かを一定時間（例えば８秒間）内にＰＳデータが２回以上変化したか否かで判定し、変化したダイナミックＰＳの場合（Ｙ）は、番組サービス表示を非表示（ブランク）とし、変化しない正常なデータの場合（Ｎ）は、そのままＲＤＳのＰＳデータを番組サービス名として表示する代替表示手段Ｓ２と、を備える構成とする。
【００２３】
上記処理手順はＲＤＳ放送の受信サービスのＰＩと同一ＳＩｄを有するＤＡＢ放送におけるサービスが検索された場合には、ＲＤＳ放送のＰＳデータの如何にかかわらず優先的にＤＡＢ放送の番組サービス名を代替して表示するものである。
【００２４】
次に、図３に示されるフロー図では、前記番組サービス名表示手段が、前記ＲＤＳ放送の受信時に、当該受信サービスの番組サービス名のデータが正常なデータか番組サービス名以外のデータ（ダイナミックＰＳ）かを判定するデータ判定手段Ｓ３と、前記データ判定手段Ｓ３で番組サービス名以外のデータ（ダイナミックＰＳ）と判定された場合（Ｙ）に、当該受信サービスのＰＩと同一ＳＩｄを有するＤＡＢ放送における番組サービス名が前記メモリ装置４に記憶されているか否かを判定する番組サービス名記憶判定手段Ｓ４と、前記番組サービス名記憶判定手段Ｓ４で記憶有りと判定された場合（Ｙ）は、前記メモリ装置４に記憶された前記同一ＳＩｄを有するＤＡＢ放送における番組サービス名を当該ＲＤＳ放送の受信サービスの番組サービス名として前記表示装置３に表示し、前記番組サービス名記憶判定手段Ｓ４で記憶無しと判定された場合（Ｎ）は、前記ＤＡＢのアンサンブルサーチ動作を行い、受信サービスのＰＩと同一ＳＩｄを有するＤＡＢサービスが検出された場合は、当該ＤＡＢサービスの番組サービス名をＲＤＳの受信サービスの番組サービス名として前記表示装置３に表示する代替表示手段Ｓ５と、を備えることを特徴とする。
【００２５】
上記処理手順はＲＤＳ放送受信時の受信サービスのＰＳデータが正常ならば、そのまま番組サービス名を表示させ、ダイナミックＰＳの場合にはＰＩと同一ＳＩｄを有するＤＡＢ放送におけるサービスの番組サービス名を先ずメモリ装置４から検索し、無ければＤＡＢのアンサンブルサーチ動作を機能させて検索させ、ＤＡＢ放送の番組サービス名を代替して表示するものである。
【００２６】
上記いずれの処理手順でもＲＤＳ放送の受信サービスのＰＩと同一ＳＩｄを有するＤＡＢ放送における番組サービス名が検索されれば、正しい番組サービス名が表示されることになる。
【００２７】
次に、図４に示されるフロー図では、前記番組サービス名記憶手段が、前記ＲＤＳ放送受信時の番組サービス名のメモリ装置４への記憶時（プリセット動作時）に、先ずＤＡＢのアンサンブルサーチ動作を行い、ＲＤＳ放送の受信サービスのＰＩと同一ＳＩｄを有するＤＡＢ放送におけるサービスが検出された場合（Ｙ）は、当該ＤＡＢ放送のサービスの番組サービス名をＲＤＳの受信サービスの番組サービス名として前記メモリ装置４に記憶し、検出されなかった場合（Ｎ）には、当該ＲＤＳの受信サービスの番組サービス名のデータが正常なデータか番組サービス名以外のデータ（ダイナミックＰＳ）かを一定時間（例えば８秒間）内にＰＳデータが２回以上変化したか否かで判定し、変化したダイナミックＰＳの場合（Ｙ）は、番組サービス名を記憶しないこととし（エラー表示）、変化しない正常なデータの場合（Ｎ）は、そのままＲＤＳ放送のＰＳデータを番組サービス名としてメモリ装置４に記憶する代替記憶手段Ｓ６を備えることを特徴とする。この処理手順はＲＤＳ放送の受信サービスのＰＩと同一ＳＩｄを有するＤＡＢ放送における番組サービスがアンサンブルサーチ動作で検索された場合には、ＲＤＳのＰＳデータの如何にかかわらず優先的にＤＡＢ放送のサービスの番組サービス名を代替して記憶するものである。
【００２８】
次に、図５に示されるフロー図では、前記番組サービス名記憶手段が、前記ＲＤＳ放送の受信時の番組サービス名のメモリ装置４への記憶時（プリセットメモリ動作時）に、先ず当該ＲＤＳ放送の受信サービスの番組サービス名のデータが正常なデータか番組サービス名以外のデータ（ダイナミックＰＳ）かを前述と同様に判定し、正常なデータの場合（Ｎ）は、そのままＲＤＳ放送のＰＳデータを番組サービス名としてメモリ装置４に記憶し、ダイナミックＰＳと判定された場合（Ｙ）には、次に、ＤＡＢ放送のアンサンブルサーチ動作を行い、ＲＤＳ放送の受信サービスのＰＩと同一ＳＩｄを有するＤＡＢ放送におけるサービスが検出された場合（Ｙ）は、当該ＤＡＢ放送のサービスの番組サービス名をＲＤＳ放送の受信サービスの番組サービス名として前記メモリ装置４に記憶し、検出されなかった場合（Ｎ）には、番組サービス表示を記憶しないこととする（エラー表示）代替記憶手段Ｓ７を備えることを特徴とする。
【００２９】
上記処理手順はＲＤＳ放送の受信サービスのＰＳデータが正常ならば、そのまま番組サービス名を表示させ、ダイナミックＰＳの場合にはＰＩと同一ＳＩｄを有するＤＡＢ放送におけるサービスの番組サービス名をアンサンブルサーチを機能させて検索させ、検出されればそのＤＡＢ放送の番組サービス名を代替して記憶するものである。
【００３０】
以上の４つの処理手順は何れも前記制御マイコン５がＲＤＳデータデコーダ部６からのＲＤＳのＰＩコードとＰＳデータ、及びＦＩＣデータデコーダ部８からのＤＡＢサービスのＳＩｄデータ、サービスラベルのデータを基に制御を行い、表示装置３、メモリ装置４へ番組サービス名を送信してそれぞれ表示、記憶させることで実現されることは言うまでもない。
【００３１】
なお、念のために付言すれば、本発明に係る上記ＲＤＳ放送及びＤＡＢ放送の受信機能を有するラジオ受信機、またはＲＤＳ放送の受信機能に加えてＤＡＢ放送の受信機能を追加可能な受信手段を有するラジオ受信機は、ＤＡＢ放送受信機能内蔵のＲＤＳ放送受信機、或いは別体のＤＡＢ放送受信機とＲＤＳ放送受信機を制御ラインを含めて接続して機能させるラジオ受信システムなどを意味する。
【図面の簡単な説明】
【００３２】
【図１】本発明に係るＲＤＳ放送とＤＡＢ放送の双方の受信機能を備えるラジオ受信機のブロック図である。
【図２】本発明に係るラジオ受信機の番組サービス名表示手段における代替表示手段の第１の処理手順を示すフロー図である。
【図３】本発明に係るラジオ受信機の番組サービス名表示手段における代替表示手段の第２の処理手順を示すフロー図である。
【図４】本発明に係るラジオ受信機の番組サービス名記憶手段における代替記憶手段の第１の処理手順を示すフロー図である。
【図５】本発明に係るラジオ受信機の番組サービス名記憶手段における代替記憶手段の第２の処理手順を示すフロー図である。
【図６】［特許文献１］に記載のＲＤＳ放送とＤＡＢ放送が受信可能なラジオ放送受信機のブロック図である。
【図７】表示装置に表示されたプリセットメモリの番組サービス名一覧の例であり、（ａ）正しく番組サービス名が表示された状態と、（ｂ）誤表示が含まれている場合である。
【符号の説明】
【００３３】
１    ＦＭ／ＡＭステレオ復調部
２    入力装置
３    表示装置
４    メモリ装置
５    制御マイコン
６    ＲＤＳデータデコーダ部
７    ＲＤＳ受信部
８    ＦＩＣデータデコーダ部
９    ＤＡＢ受信部
１０    ラジオ受信機
【図１】
2007074085.tif 000003
【図２】
2007074085.tif 000004
【図３】
2007074085.tif 000005
【図４】
2007074085.tif 000006
【図５】
2007074085.tif 000007
【図６】
2007074085.tif 000008
【図７】
2007074085.tif 000009